(57)【要約】【課題】接続アダプタは、回転せずに混注部材から取り外すことができ、混注部材から取り外すときに、シリンジが外れることがなく、血液リークを防ぐことができる接続器具を提供すること。【解決手段】接続器具１は、接続アダプタ１０と混注部材２０とを有する。接続アダプタ１０は、針部１１と針カバー１２とを有し、混注部材２０は、チューブ接続部２２とアダプタ保持部２３とを有する。針カバー１２は、末端ｄｅ側に係止部１２Ｋを有する。チューブ接続部２２は、第１側部Ｓ１方向と第２側部Ｓ２方向に、突起２２Ｔを有し、アダプタ保持部２３は、天上部２３ＴＰと側壁２３ＳＷとを有する。天上部２３ＴＰは、第１側部Ｓ１側と第２側部Ｓ２側に、湾曲部２３ＣＲを突設し、湾曲部２３ＣＲの下部Ｄ側に、側壁２３ＳＷを有する。湾曲部２３ＣＲの下部Ｄ側に、上部Ｕ側に向けて、アーム部２３ＡＭを突設し、アーム部２３ＡＭの上部Ｕ側に係止部２３Ｋを有する。【選択図】図４
2015043816.tif 000002
【特許請求の範囲】
【請求項１】
接続アダプタ（１０）と混注部材（２０、２０´）とを有し、
接続アダプタ（１０）は、針部（１１）と、針カバー（１２）と接続部（１３）とを有し、
混注部材（２０、２０´）は、ポート（２１）とチューブ接続部（２２）とアダプタ保持部（２３）とを有し、
前記針カバー（１２）は、末端ｄｅ側に係止部（１２Ｋ）を形成し、
前記チューブ接続部（２２）は、第１側部Ｓ１方向と第２側部Ｓ２方向に、突起（２２Ｔ、２２Ｔ´）を形成し、
前記アダプタ保持部（２３）は、天上部（２３ＴＰ）と側壁（２３ＳＷ）とを有し、
前記天上部（２３ＴＰ）は、第１側部Ｓ１側と第２側部Ｓ２側に、湾曲部（２３ＣＲ）を突設し、当該湾曲部（２３ＣＲ）の下部Ｄ側に、前記側壁（２３ＳＷ）を有し、
前記湾曲部（２３ＣＲ）の下部Ｄ側に、上部Ｕ側に向けて、アーム部（２３ＡＭ）を突設し、
当該アーム部（２３ＡＭ）の上部Ｕ側に、係止部（２３Ｋ）を形成し、
前記接続アダプタ（１０）は、上部Ｕ側から下部Ｄ側に直進させ、
当該接続アダプタ（１０）の係止部（１２Ｋ）を、前記混注部材（２０、２０´）の係止部（２３Ｋ）と係合させることにより、前記接続アダプタ（１０）と前記混注部材（２０、２０´）とを接続でき、
前記側壁（２３Ｗ）の下部Ｄ側を、第１側部Ｓ方向と第２側部方向に向けて押さえると、前記混注部材（２０）のアダプタ保持部（２３）の係止部（２３Ｋ）は第１側部Ｓ１側と第２側部Ｓ２側とに移動し、
前記針カバー（１２）の係止部（１２Ｋ）との係合は解除でき、
前記接続アダプタ（１０）は、下部Ｄ側から上部Ｕ側に直線的に後退させることにより、混注部材（２０、２０´）から離脱させることができる、
ことを特徴とする接続器具（１、１´）。
【請求項２】
チューブ接続部（２２）は、第１側部Ｓ１方向と第２側部Ｓ２方向に、突起（２２Ｔ）を形成し、
当該突起（２２Ｔ）は、チューブ接続部（２２）の長手方向に沿って延び、第１側部Ｓ１方向と第２側部Ｓ２方向に沿って突設した、ことを特徴とする請求項１に記載の接続器具（１）。
【請求項３】
チューブ接続部（２２）は、第１側部Ｓ１方向と第２側部Ｓ２方向に、突起（２２Ｔ´）を形成し、
当該突起（２２Ｔ´）は、上部Ｕ方向から下部Ｄ方向に沿って延び、第１側部Ｓ１方向と第２側部Ｓ２方向に沿って突出した、ことを特徴とする請求項１に記載の接続器具（１´）。
【請求項４】
突起（２２´）は、突起係止部（２２Ｔ´Ｋ）を有し、
当該突起係止部（２２Ｔ´Ｋ）は、突起（２２Ｔ´）の上部Ｕ方向から下部Ｄ方向に沿って略中腹部まで延び、第１側部Ｓ１方向と第２側部Ｓ２方向に沿って突出した、
ことを特徴とする請求項３に記載の接続器具（１´）。
【請求項５】
針カバー（１２）は第１側部Ｓ１側と第２側部Ｓ２側で、末端ｄｅ側に、小孔（１２Ｈ）を形成し、
接続アダプタ（１０）は、下部Ｄ方向から上部Ｕ方向へ引き上げるときに、混注部材（２０）の突起係止部（２２Ｔ´Ｋ）と前記小孔（１２Ｈ）とが係合することにより、当該係合状態で、一時的に静止することができる、ことを特徴とする請求項４に記載の接続器具（１´）。
【発明の詳細な説明】
【技術分野】
【０００１】
本発明は、薬液等を注入する接続器具の改良に関するもので、接続アダプタを確実に混注部材のポートに接続・固定できる接続器具に関する。
本発明の接続器具は、血液回路、薬液容器、輸血・輸液セット等の医療用具に使用される。
【背景技術】
【０００２】
出願人は、特許文献１に、接続アダプタと混注部材との接続を右回転（時計）方向により、解除する発明を開示した。
【先行技術文献】
【特許文献】
【０００３】
【特許文献１】特開２０１１−１６１０８１号公報
【発明の概要】
【発明が解決しようとする課題】
【０００４】
特許文献１に記載の発明は、操作ミスにより反対側の左回転（反時計）方向に回転させると、接続アダプタが混注部材から抜ける前に、接続アダプタの接続部（メスルアー）とシリンジの接続部（オスルアー）が先に外れてしまい血液リークを発生させるリスクがあった。
医療現場からは、このようなリスクを回避するために、接続アダプタを回転せずに、混注部材から取り外すことのできる接続器具が待望されるようになった。
そこで、本発明者は以上の課題を解決するために鋭意検討を重ねた結果、次の発明に到達した。
【課題を解決するための手段】
【０００５】
［１］本発明は、接続アダプタ（１０）と混注部材（２０、２０´）とを有し、
接続アダプタ（１０）は、針部（１１）と、針カバー（１２）と接続部（１３）とを有し、
混注部材（２０、２０´）は、ポート（２１）とチューブ接続部（２２）とアダプタ保持部（２３）とを有し、
前記針カバー（１２）は、末端ｄｅ側に係止部（１２Ｋ）を形成し、
前記チューブ接続部（２２）は、第１側部Ｓ１方向と第２側部Ｓ２方向に、突起（２２Ｔ、２２Ｔ´）を形成し、
前記アダプタ保持部（２３）は、天上部（２３ＴＰ）と側壁（２３ＳＷ）とを有し、
前記天上部（２３ＴＰ）は、第１側部Ｓ１側と第２側部Ｓ２側に、湾曲部（２３ＣＲ）を突設し、当該湾曲部（２３ＣＲ）の下部Ｄ側に、前記側壁（２３ＳＷ）を有し、
前記湾曲部（２３ＣＲ）の下部Ｄ側に、上部Ｕ側に向けて、アーム部（２３ＡＭ）を突設し、
当該アーム部（２３ＡＭ）の上部Ｕ側に、係止部（２３Ｋ）を形成し、
前記接続アダプタ（１０）は、上部Ｕ側から下部Ｄ側に直進させ、
当該接続アダプタ（１０）の係止部（１２Ｋ）を、前記混注部材（２０、２０´）の係止部（２３Ｋ）と係合させることにより、前記接続アダプタ（１０）と前記混注部材（２０、２０´）とを接続でき、
前記側壁（２３Ｗ）の下部Ｄ側を、第１側部Ｓ方向と第２側部方向に向けて押さえると、前記混注部材（２０）のアダプタ保持部（２３）の係止部（２３Ｋ）は第１側部Ｓ１側と第２側部Ｓ２側とに移動し、
前記針カバー（１２）の係止部（１２Ｋ）との係合は解除でき、
前記接続アダプタ（１０）は、下部Ｄ側から上部Ｕ側に直線的に後退させることにより、混注部材（２０、２０´）から離脱させることができる、接続器具（１、１´）を提供する。
【０００６】
［２］本発明は、チューブ接続部（２２）は、第１側部Ｓ１方向と第２側部Ｓ２方向に、突起（２２Ｔ）を形成し、
当該突起（２２Ｔ）は、チューブ接続部（２２）の長手方向に沿って延び、第１側部Ｓ１方向と第２側部Ｓ２方向に沿って突設した、[１]に記載の接続器具（１）を提供する。
［３］本発明は、チューブ接続部（２２）は、第１側部Ｓ１方向と第２側部Ｓ２方向に、突起（２２Ｔ´）を形成し、
当該突起（２２Ｔ´）は、上部Ｕ方向から下部Ｄ方向に沿って延び、第１側部Ｓ１方向と第２側部Ｓ２方向に沿って突出した、[１]に記載の接続器具（１´）を提供する。
【０００７】
［４］本発明は、突起（２２´）は、突起係止部（２２Ｔ´Ｋ）を有し、
当該突起係止部（２２Ｔ´Ｋ）は、突起（２２Ｔ´）の上部Ｕ方向から下部Ｄ方向に沿って略中腹部まで延び、第１側部Ｓ１方向と第２側部Ｓ２方向に沿って突出した、
ことを特徴とする[３]に記載の接続器具（１´）を提供する。
［５］本発明は、針カバー（１２）は第１側部Ｓ１側と第２側部Ｓ２側で、末端ｄｅ側に、小孔（１２Ｈ）を形成し、
接続アダプタ（１０）は、下部Ｄ方向から上部Ｕ方向へ引き上げるときに、混注部材（２０）の突起係止部（２２Ｔ´Ｋ）と前記小孔（１２Ｈ）とが係合することにより、当該係合状態で、一時的に静止することができる、[４]に記載の接続器具（１´）を提供する。
【発明の効果】
【０００８】
本発明の接続器具１、１´（第一発明、第二発明）によれば、接続アダプタ１０は、回転を必要とすることなく、混注部材２０、２０´から取り外すことができる。このため接続アダプタ１０を、混注部材２０、２０´から取り外すときに、シリンジが外れる可能性がなくなり、血液リークを防ぐことが可能である。
【０００９】
加えて第二発明の接続器具１´は、「第二状態」から「第一状態」への「移行状態」（接続アダプタ１０を上部Ｕ方向に引き上げる途中）で一度静止することが可能である。この状態では、針部１１の薬液注入口１１Ｏは、混注部材２０´の栓体２０Ｓで塞がれ、チューブ接続部２２の液体流路ＬＰ内を流通している血液は、針部１１内へ流入することがない。
これにより、当初のシリンジを、接続アダプタ１０から取り外して、別のシリンジを取り付け、当該別のシリンジにより、異なる薬液を注入することも可能である。
さらに、当該別のシリンジに、別の輸液ラインのコネクターを接続して、持続的な輸液も実施することが可能となる。
【図面の簡単な説明】
【００１０】
【図１】図１は、本発明（第一発明）の接続部材１０を第３側部Ｓ３方向から見た概略図。
【図２】図２は、接続部材１０を第２側部Ｓ２方向−第３側部Ｓ３方向から見た概略図。
【図３】図３は、本発明（第一発明）の混注部材２０を第３側部Ｓ３方向から見た概略図。
【図４】図４は、混注部材２０を第２側部Ｓ２方向−第３側部Ｓ３向から見た概略図。
【図５】図５は、接続部材１０を混注部材２０に接続する前（第一状態）を第２側部Ｓ２方向−第３側部Ｓ３向から見た概略図。
【図６】図６は、接続部材１０を混注部材２０に接続した状態（第二状態）を第３側部Ｓ３向から見た概略図。
【図７】図７は、接続部材１０を混注部材２０から取り外すところ（第三状態）を第３側部Ｓ３向から見た概略図。
【図８】図８は、接続部材１０を混注部材２０から取り外したところ（第一状態）を第３側部Ｓ３向から見た概略図。
【図９】図９は、本発明（第二発明）の接続部材１０´を混注部材２０´に接続する前（第一状態）で、第２側部Ｓ２方向から見た概略図。
【図１０】図１０は、図９の第一状態を、第３側部Ｓ３方向から見た概略図。
【図１１】図１１は、図９の第一状態を、第２側部Ｓ２方向−第３側部Ｓ３方向から見た概略図。
【図１２】図１２は、本発明（第二発明）の接続部材１０´を混注部材２０´に接続する途中の（移行状態）で、第２側部Ｓ２方向−第３側部Ｓ３方向の縦断面図。
【図１３】図１３は、図１２の一部拡大図。
【図１４】図１４は、図１２の移行状態を、第２側部Ｓ２方向から見た概略図。
【図１５】図１５は、図１２の移行状態を、第３側部Ｓ３方向から見た概略図。
【図１６】図１６は、図１２の移行状態を、第２側部Ｓ２方向−第３側部Ｓ３方向から見た概略図。
【図１７】図１７は、本発明（第二発明）の接続部材１０´と混注部材２０´を「第二状態」から「第一状態」へ移行を開始する途中の状態（移行状態）で、第３側部Ｓ３方向の縦断面図。
【図１８】図１８は、図１７の移行状態を、第２側部Ｓ２方向−第３側部Ｓ３方向から見た概略図。
【図１９】図１９は、図１７の移行状態を、第２側部Ｓ２方向から見た概略図。
【発明を実施するための形態】
【００１１】
以下、図面を参照しながら本発明（第一発明、第二発明）を詳細に説明する。
以下、本発明を明確に説明するため、次の定義をおく。
（定義１）本発明の接続器具１、１´において「第一状態」とは、図５、図９から図１１に示すように、接続部材１０と混注部材２０、２０´とが接続されていない状態を意味する。さらにいえば、接続部材１０を混注部材２０、２０´に接続する前の状態と、接続部材１０を混注部材２０、２０´から完全に取り外した状態を意味する。
以下、符号の煩雑化を避けるため、例えば「混注部材２０、２０´」等とあるのは、単に「混注部材２０」等と記載する。「混注部材２０」等と記載しても、「混注部材２０´」等に共通する部分は、「混注部材２０´」も含むことに留意されたい。
【００１２】
（定義２）同様に、図６、図１５から図１６に示すように、「第二状態」とは、接続部材１０を混注部材２０に接続した状態を意味する。さらにいえば、針部１１の尖端１１ＳＴが、混注部材２０のチューブ接続部２２の液体流路ＬＰ内に侵入して、液体（薬液等）を注入できる状態を意味する。
（定義３）「移行状態」とは、図１２から図１４に示すように、「第一状態」から「第二状態」へ移行する途中の状態を意味する。
（定義４）「離脱開始状態」とは、図７、図１７から図１９に示すように「第二状態」から「第一状態」へ移行を開始する状態を意味する。
【００１３】
（定義５）本発明の接続部材１０で、「基端ｐｅ側（または方向という場合がある）」とは、図１、図２に示すように、接続部１３の突起部１３Ｔ側の端部を意味する。
「末端ｄｅ側（または方向という場合がある）」とは、図１、図２に示すように、接続部１３の突起部１３Ｔ側の端部と反対側の端部を意味する。さらにいえば、針部１１側の端部を意味する。
（定義６）本発明の混注部材２０で、「上部Ｕ側（または方向という場合がある）」とは、図３、図４に示すように、キャップ２１Ｃ側の端部を意味する。
「下部Ｄ側（または方向という場合がある）」とは、図３、図４に示すように、「上部Ｕ側（または方向という場合がある）」と反対側の端部を意味する。さらにいえば、
３、図４に示すように、アダプタ保持部２３側の端部を意味する。
【００１４】
（定義７）本発明の接続部材１０、混注部材２０で、
「第１側部Ｓ１側（または方向という場合がある）」とは、図１〜図４に示すように、図の右側の方向（図の破線矢印参照）を意味する。
「第２側部Ｓ２側（または方向という場合がある）」とは、図１〜図４に示すように、図の左側の方向（図の破線矢印参照）を意味する。
「第３側部Ｓ３側（または方向という場合がある）」とは、図１〜図４に示すように、図の正面側の方向（図の破線矢印参照）を意味する。
「第４側部Ｓ４側（または方向という場合がある）」とは、図１〜図４に示すように、図の背面側の方向（図の破線矢印参照）を意味する。
【００１５】
（定義８）
本発明の接続部材１０で、「長手方向」とは、「接続部材１０」の長尺方向（長い方向）を意味する。
本発明の混注部材２０で、「長手方向」とは、「チューブ接続部２２」の長尺方向を意味する。
本発明の図面及び発明の説明の中で、例えば図３に例示するように、第１側部Ｓ１側の側壁２３Ｗを「２３ＷＳ１」、第２側部Ｓ２側の側壁２３Ｗを、「２３ＷＳ２」と記載した。
なおこれらの側壁２３Ｗ並びにこれら以外の各構成部品の名称で、「第１側部Ｓ１側」等の位置・配置等の方向性を示す符号は、発明の理解ができ、必要と認められる範囲内で、図面及び発明の説明の中で一部のみについて記載した。
【００１６】
［接続器具１、１´］
本発明（第一発明、第二発明）の接続器具１、１´について、以下、図面を参照しながら説明する。
図１から図８は、第一発明の接続器具１、図９から図１９は、第二発明の接続器具１´を例示している。
第二発明の接続器具１´が、第一発明の接続器具１と主に異なる部材は、混注部材２０の突起２２Ｔ´である。
【００１７】
以下、発明の説明、図面において、説明、符号の煩雑化を防ぐために、主として第一発明の接続器具１について説明する。第二発明の接続器具１´は、第一発明の接続器具１と異なる部分（形状・構造）、操作方法のみ説明する。
第二発明の接続器具１´は、第一発明の接続器具１と異なる部材のみに、「´」、または異なる符号を記載した。共通する部材の符号はそのままとした。
【００１８】
本発明の接続器具１は、接続アダプタ１０と混注部材２０とを有する。
[接続アダプタ１０]
接続アダプタ１０は、図１、図２に例示するように、針部１１と針カバー１２と接続部１３とを有する。
針部１１は末端ｄｅ側に、液体（薬液）注入口１１Ｏと鋭利な尖端１１ＳＴを有する。
針カバー１２は、いわゆる「略筒状」の形態を有する。
針カバー１２は、第１側部ｓ１側でかつ末端ｄｅ側に、係止部１２Ｋを形成している。さらに第１側部ｓ３側でかつ末端ｄｅ側にも係止部１２Ｋを形成している。
係止部１２Ｋは、第３側部Ｓ３方向から見て、いわゆる「略くさび状」の形態を有する。
【００１９】
また針カバー１２は、第３側部Ｓ３側と第４側部Ｓ４側に、スリット１２Ｓと、当該スリット１２Ｓに繋がる開口部１２Ｏを形成している。
スリット１２Ｓは、針カバー１２の基端ｐｅ側から針カバー１２の略中間部に至るまで形成している。
開口部１２Ｏは、針カバー１２の略中間部から末端ｄｅに至るまで形成している。開口部１２Ｏは、文言通り、スリット１２Ｓと比較して、第１側部Ｓ１側と第２側部Ｓ２側の長さ（幅）が大きくなっている。
このようにスリット１２Ｓと開口部１２Ｏを形成することにより、針カバー１２は、混注部材２０に接続するときに、スリット１２Ｓと開口部１２Ｏに隣接する壁面がたわんで広がりやすくし、混注部材２０に接続しやすくなる。
【００２０】
針カバー１２は、第１側部Ｓ１側と第２側部Ｓ２側に、複数のリブ１２Ｒを形成している。
図１、図２で、第２側部Ｓ２側のリブ１２Ｒは、長手方向に沿って、三箇所形成している。三箇所のうち、中央のリブ１２Ｒは、末端ｄｅまでに到達することなく、末端ｄｅの直前で終了している。中央のリブ１２Ｒの末端ｄｅ側に小孔１２Ｈを形成し、さらに末端ｄｅ側に、係止部１２Ｋを形成している。
小孔１２Ｈは、第一発明の接続器具１では、なくてもよいが、後述する第二発明の接続器具１´では、必要となる。
【００２１】
針カバー１２の基端ｐｅ側に、接続部１３を形成している。
接続部１３は、いわゆる「略管状」の形態を有する。
接続部１３は基端ｐｅ側に、突起部１３Ｔを形成している。
突起部１３Ｔは、シリンジの接続部（図示せず、ルアーロック部の螺子状の溝部）と接続できるように、いわゆる「螺子状」に形成している。
【００２２】
［混注部材２０］
混注部材２０は、図３、図４に例示するように、ポート２１とチューブ接続部２２とアダプタ保持部２３とを有する。
ポート２１は、上部Ｕ側に、キャップ２１Ｃを装着している。
ポート２１は、内部に栓体２０Ｓ（ゴム栓ともいう）を配置している。
【００２３】
チューブ接続部２２は、第１側部Ｓ１方向と第２側部Ｓ２方向に、突起２２Ｔを形成している。
突起２２Ｔは、図４の例示では、チューブ接続部２２の長手方向に沿って延び、第１側部Ｓ１方向と第２側部Ｓ２方向に沿って突出（突設）した、いわゆる「略鍔状」（略板状、略矩形もいう）の形態を有している。
突起２２Ｔは、接続アダプタ１０を、上部Ｕ方向から直進して差し込むときに、
針カバー１２の第１側部Ｓ１側と第２側部Ｓ２側の内壁が長手方向に沿って、
ガタツクことなく移動できるように、いわゆる「誘い」（支持、ガードともいう）の役割を果たす。
これにより、接続アダプタ１０は、混注部材２０への接続・固定を安定して行うことができる。
他方、接続アダプタ１０を引きぬくときは、突起２２Ｔを「誘い」（支持、ガードともいう）として引き抜くことができる。
チューブ接続部２２は、下部Ｄ側にアダプタ保持部２３を配置している。
【００２４】
アダプタ保持部２３は、天上部２３ＴＰと一対の側壁２３ＳＷを有する。
天上部２３ＴＰは、チューブ接続部２２の下部Ｄ側に配置している。
天上部２３ＴＰは、第１側部Ｓ１側と、第２側部Ｓ２側に、湾曲部２３ＣＲ（Ｓ１、Ｓ２）を突設している。
湾曲部２３ＣＲ（Ｓ１、Ｓ２）の下部Ｄ側に、側壁２３ＳＷ（Ｓ１、Ｓ２）を配置している。
側壁２３ＳＷ（Ｓ１、Ｓ２）は、いわゆる「略板状」の形態を有している。
側壁２３ＳＷ（Ｓ１、Ｓ２）は、長手方向に沿って、換言すれば第３側部Ｓ３（第４側部Ｓ４）方向から第４側部Ｓ４（第３側部Ｓ３）方向に向けて、複数のリブ２３Ｒを形成している。図３、図４の例示では、６箇所形成している。
また天上部２３ＴＰは、下部Ｄ側に、支持部２３Ｓを形成している。
支持部２３Ｓは、いわゆる細長い「略板状」（または「略矩形」ともいう）の形態を有する。
支持部２３Ｓは、側壁２３ＳＷ（Ｓ１、Ｓ２）といわゆる「略平行」となるように、
側壁２３ＳＷ（Ｓ１、Ｓ２）の間に配置している。
図３、図４に例示するように、支持部２３Ｓの略中間部に、第３側部Ｓ３方向に向けて、針収納部２３Ｎを配置している。針収納部２３Ｎは、いわゆる「略管状」の形態を有し、使用後の針部１１の鋭利な尖端１１ＳＴを装着する。
【００２５】
湾曲部２３ＣＲ（Ｓ１、Ｓ２）の下部Ｄ側に、上部Ｕ側に向けて、アーム部２３ＡＭを突設している。
アーム部２３Ａは、いわゆる「細長い略板状」（例えば長さ：５ｍｍ）の形態を有する。
アーム部２３ＡＭ（Ｓ１、Ｓ２）は、上部Ｕ側に係止部２３Ｋを形成している。
係止部２３Ｋは、第３側部Ｓ３方向から見て、いわゆる「略三角形状」の形態を有している。
係止部２３Ｋは、鉤爪（かぎつめ）状、楔状の形態であってもよい。
係止部２３Ｋと、（接続アダプタ１０の）係止部１２Ｋとの係合の深さは、例えば０．１〜１．０ｍｍの間に形成する。
【００２６】
側板２３Ｗ（Ｓ１、Ｓ２）の下部Ｄ側を支持部２３Ｓ方向に押すことにより、
湾曲部２３ＣＲ（Ｓ１、Ｓ２）が支持部２３Ｓ方向に撓（たわ）んで、アーム部２３ＡＭ（Ｓ１、Ｓ２）の係止部２３Ｋ（Ｓ１、Ｓ２）は、それぞれ第１側部Ｓ１方向と、第２側部Ｓ２方向に広がる。
【００２７】
次に本発明の接続器具１（第一発明）の操作方法の一例について例示する。図５〜図８にあわせて、接続アダプタ１０の末端ｄｅ側を下部Ｄ側、基端ｐｅ側を上部Ｕ側と記載する。
（接続）
（１）図５に例示するように、第一状態の混注部材２０のポート２１（キャップ２１Ｃ）の上部Ｕ位置と、接続アダプタ１０の針カバー１２の下部Ｄ位置とを合わせる。
（２）針カバー１２を、ポート２１（キャップ２１Ｃ）の上部Ｕ方向に向けて、下部Ｄ方向に直進（移動）させる。
【００２８】
（３）針カバー１２の第１側部Ｓ１側と第２側部Ｓ２側の内壁面は、キャップ２１Ｃの上部Ｕ側の外壁面（下部Ｄ側に傾斜している）に接触し、さらに下部Ｄ方向に直進（移動）させると、針カバー１２の第１側部Ｓ１側と第２側部Ｓ２側の内壁面は、
チューブ接続部２２の突起２２Ｔの第１側部Ｓ１側と第２側部Ｓ２側に接触する。
（４）さらに下部Ｄ方向に直進（移動）させると、針カバー１２の第１側部Ｓ１側と第２側部Ｓ２側の内壁面は、突起２２Ｔに支持されて、かつ突起２２Ｔに拡張されながら下部Ｄ方向に直進（移動）する。（移行状態）
（５）さらに下部Ｄ側に移動すると、針カバー１２の係止部１２Ｋは、混注部材２０のアダプタ保持部２３の係止部２３Ｋと衝突し、係止部２３Ｋを乗り越えて下部Ｄ側に移動し、図６のように係合する。（第二状態）
【００２９】
（接続の解除）
（１）側壁２３Ｗ（Ｓ１、Ｓ２）の下部Ｄ側を、第１側部Ｓ方向と第２側部方向（指示部２３Ｓ側）に押さえると、混注部材２０のアダプタ保持部の係止部２３Ｋ（Ｓ１、Ｓ２）は、図７に示すように第１側部Ｓ１、第２側部Ｓ２側に移動し、針カバー１２の係止部１２Ｋとの係合は解除される。（離脱開始状態）
（２）針カバー１２を上部Ｕ側に移動させると、側壁２３Ｗの第１側部Ｓ１側と第２側部Ｓ２側の内壁面は、チューブ接続部２２の突起２２Ｔに支持されて、上部Ｕ方向に移動する。
（３）さらに上部Ｕ側に移動させると、図８のように、接続アダプタ１０は、混注部材２０から離脱する。（第一状態）
【００３０】
以上のように、接続アダプタ１０は回転を必要とすることなく、混注部材２０から取り外すことができる。このため接続アダプタ１０を、混注部材２０から取り外すときに、シリンジが外れる可能性がなくなり、血液リークを防ぐことが可能である。
【００３１】
（第二発明の接続器具１´）
第二発明の接続器具１´は、第一発明の接続器具１と主に異なる部材は、混注部材２０の突起２２Ｔ´である。
【００３２】
混注部材２０の突起２２Ｔ´は、図１１、１３の例示では、上部Ｕ方向から下部Ｄ方向に沿って延び、第１側部Ｓ１方向と第２側部Ｓ２方向に沿って突出（突設）した、いわゆる「略板状」（略矩形もいう）の形態を有している。
突起２２Ｔ´は、突起係止部２２Ｔ´Ｋを有する。
突起係止部２２Ｔ´Ｋは、突起２２Ｔ´の上部Ｕ方向から下部Ｄ方向に沿って略中腹部まで延び、第１側部Ｓ１方向と第２側部Ｓ２方向に沿って突出（突設）した、いわゆる「細長い小リブ」の形態を有している。
【００３３】
次に本発明の接続器具１´（第二発明）の操作方法の一例について例示する。図９〜図１８にあわせて、接続アダプタ１０の末端ｄｅ側を下部Ｄ側、基端ｐｅ側を上部Ｕ側と記載する。
（接続）
（１）図９〜図１１に例示するように、第一状態の混注部材２０´のポート２１（キャップ２１Ｃ）の上部Ｕ位置と、接続アダプタ１０の針カバー１２の下部Ｄ位置とを合わせる。
（２）針カバー１２を、ポート２１（キャップ２１Ｃ）の上部Ｕ方向に向けて、下部Ｄ方向に直進（移動）させる。
【００３４】
（３）針カバー１２の第１側部Ｓ１側と第２側部Ｓ２側の内壁面は、キャップ２１Ｃの上部Ｕ側の外壁面（下部Ｄ側に傾斜している）に接触し、さらに下部Ｄ方向に直進（移動）させると、針カバー１２の第１側部Ｓ１側と第２側部Ｓ２側の内壁面は、
チューブ接続部２２の突起２２Ｔ´の第１側部Ｓ１側と第２側部Ｓ２側に接触する。
（４）さらに下部Ｄ側に移動すると、針カバー１２の第１側部Ｓ１側と第２側部Ｓ２側の内壁面は、混注部材２０の突起係止部２２Ｔ´Ｋの上部Ｕ側と衝突する。
針カバー１２の第１側部Ｓ１側と第２側部Ｓ２側の内壁面は、さらに、突起係止部２２Ｔ´Ｋに拡張されながら、さらに突起係止部２２Ｔ´Ｋの下部Ｄ側を乗り越えて下部Ｄ側に移動する。
（５）さらに下部Ｄ方向に直進（移動）させると、針カバー１２の第１側部Ｓ１側と第２側部Ｓ２側の内壁面は、突起２２Ｔ´に支持されて、下部Ｄ方向に直進（移動）する。（移行状態）
（６）さらに、接続アダプタ１０を下部方向に移動させると、針カバー１２の係止部１２Ｋは、混注部材２０´のアダプタ保持部２３の係止部２３Ｋと衝突し、係止部２３Ｋを乗り越えて下部Ｄ側に移動し、図１４〜図１６のように係合する。（第二状態）
【００３５】
（接続の解除）
（１）側壁２３Ｗ（Ｓ１、Ｓ２）の下部Ｄ側を、指示部２３Ｓ側に押さえると、混注部材２０´のアダプタ保持部の係止部２３Ｋ（Ｓ１、Ｓ２）は、図１７〜図１９に示すように第１側部Ｓ１、第２側部Ｓ２側に移動し、針カバー１２の係止部１２Ｋとの係合は解除される。（離脱開始状態）
（２）接続アダプタ１０の係止部１２Ｋの上部Ｕ側は、混注部材２０´の突起２２Ｔ´の下部Ｄ側と衝突し、さらに突起係止部２２Ｔ´Ｋの下部Ｄ側から上部Ｕ側を乗り越えて上部Ｕ側に移動する。接続アダプタ１０を上部Ｕ側に引き上げるときは、図１２〜図１４に例示するように突起係止部２２Ｔ´Ｋが、小孔１２Ｈに係合する（嵌り込む）。このため上部Ｕ側への移動を一時的に阻止される。このように接続器具１´は「移行状態」で静止することができる。
（３）さらに針カバー１２を上部Ｕ側に移動させると、側壁２３Ｗの第１側部Ｓ１側と第２側部Ｓ２側の内壁面は、チューブ接続部２２の突起２２Ｔ´に支持されて、上部Ｕ方向に移動する。
（４）接続アダプタ１０は、混注部材２０´から離脱する。（第一状態）
【００３６】
以上のように、接続アダプタ１０は第一発明の接続アダプタ１０と同様に回転を必要とすることなく、混注部材２０´から取り外すことができる。このため接続アダプタ１０を、混注部材２０´から取り外すときに、シリンジが外れる可能性がなくなり、血液リークを防ぐことが可能である。
【００３７】
加えて接続器具１´は、「第二状態」から「第一状態」への「移行状態」（接続アダプタ１０を上部Ｕ方向に引き上げる途中）で一度静止することが可能である。
この状態では、針部１１の薬液注入口１１Ｏは、混注部材２０´の栓体２０Ｓで塞がれ、チューブ接続部２２の液体流路ＬＰ内を流通している血液は、針部１１内へ流入することがない。
これにより、当初のシリンジを、接続アダプタ１０から取り外して、別のシリンジを取り付け、当該別のシリンジにより、異なる薬液を注入することも可能である。
さらに、当該別のシリンジに、別の輸液ラインのコネクターを接続して、持続的な輸液も実施することが可能となる。
【００３８】
本発明の接続アダプタ１０と混注部材２０、２０´の各構成部材（例えば
接続アダプタ１０の係止部１２Ｋ、混注部材２０、２０´の突起２２Ｔ、２２Ｔ´、突起係止部  ２２Ｔ´Ｋ、混注部材２０のアーム部２３ＡＭの係止部２３Ｋ等の各係止部、突起、突起係止部等）は、前記したように相互に係止、誘い（支持、ガイド）等が可能な形態（形状、構造）であって、本発明の目的を達成できる形態であれば、前記した説明、図面に記載したものに限定されない。
【００３９】
（材料）
接続アダプタ１０と、混注部材２０、２０´の材料は、ポリプロピレン、ポリカーボネート等、射出成形等により一体成形できる材料であれば何でも使用できる。
【符号の説明】
【００４０】
１、１´接続器具
１０    接続アダプタ
１１    針部
１１Ｏ  薬液注入口
１１ＳＴ尖端
１２    針カバー
１２Ｒ  リブ
１２Ｓ  スリット（溝）
１２Ｈ  孔
１２Ｏ  開口部
１２Ｋ
１３    接続部
１３Ｔ  突起部
ｐｅ  基端
ｄｅ  末端
ＰＥ  基端
ＤＥ  末端
Ｓ１  第１側部
Ｓ２  第２側部
Ｓ３  第３側部
Ｓ４  第４側部
Ｕ    上部
Ｄ    下部
２０    混注部材
２０Ｓ  栓体
２１    ポート  
２１Ｃ  キャップ
２２    チューブ接続部
２２Ｔ、２２Ｔ´  突起
２２Ｔ´Ｋ  突起係止部
２３    アダプタ保持部
２３Ｗ  側壁
２３ＷＳ１  第１側部側側壁
２３ＷＳ２  第２側部側側壁
２３ＣＲ    湾曲部
２３ＴＰ    天井部
２３Ｒ  リブ
２３ＡＭ  アーム部
２３Ｋ    係止部
２３Ｓ    支持部
２３Ｎ    針収納部
【図６】
2015043816.tif 000003
【図１】
2015043816.tif 000004
【図２】
2015043816.tif 000005
【図３】
2015043816.tif 000006
【図４】
2015043816.tif 000007
【図５】
2015043816.tif 000008
【図７】
2015043816.tif 000009
【図８】
2015043816.tif 000010
【図９】
2015043816.tif 000011
【図１０】
2015043816.tif 000012
【図１１】
2015043816.tif 000013
【図１２】
2015043816.tif 000014
【図１３】
2015043816.tif 000015
【図１４】
2015043816.tif 000016
【図１５】
2015043816.tif 000017
【図１６】
2015043816.tif 000018
【図１７】
2015043816.tif 000019
【図１８】
2015043816.tif 000020
【図１９】
2015043816.tif 000021